(57)【特許請求の範囲】
【請求項１】
建築物の内装もしくは外装のデザインに関するユーザの嗜好を分析するために利用される建築用デザインの嗜好分析具であって、
着目対象となる特定の材質に関して、面材としての利用が多いか線材としての利用が多いかを示す第１のパラメータと、全体的に利用されているか部分的に利用されているかを示す第２のパラメータとを、それぞれ離散値として定め、
これら２つのパラメータの一方を横軸に他方を縦軸にそれぞれとることにより、媒体上に２つのパラメータ値を座標値として用いる二次元のパラメータマップを用意し、前記離散値に応じた座標位置に基づいてパラメータマップを複数の領域に分割し、各領域に、その座標値に応じた２つのパラメータ値に対応する材質利用形態をもった内装もしくは外装の画像を表示したことを特徴とする建築用デザインの嗜好分析具。
【請求項２】
請求項１に記載の建築用デザインの嗜好分析具において、
第１のパラメータ値および第２のパラメータ値としてそれぞれ４段階の値を定め、パラメータマップを縦横それぞれ４つずつに分割し、合計１６の領域を確保し、各領域にそれぞれパラメータに応じた画像を表示するようにしたことを特徴とする建築用デザインの嗜好分析具。
【請求項３】
請求項１または２に記載の建築用デザインの嗜好分析具において、
着目対象となる材質として、木材、石材、金属材、布材のいずれか１つを用いたことを特徴とする建築用デザインの嗜好分析具。
【発明の詳細な説明】
【０００１】
【発明の属する技術分野】
本発明は建築用デザインマップに関し、特に、建築物の内装もしくは外装のデザインの嗜好を認識するために利用される建築用デザインマップに関する。
【０００２】
【従来の技術】
建築物の内装や外装には、様々な建材が組み合わされており、しかも個々の建材の形、色、材質などは様々である。このため、内装や外装のデザインには無限の組み合わせが存在し、このような建築デザインに対するユーザの嗜好も千差万別である。したがって、建築関連業界としては、ユーザの好みに応じたデザインをもった内装や外装を提供してゆく上で、ユーザのデザインに対する嗜好を認識することが非常に重要である。
【０００３】
このような要求に応じて、これまでにも、いくつかの建築用デザインマップが提案されている。たとえば、特開平７−４４０９８号公報には、ユーザの内装に対する嗜好を認識するために利用可能なインテリアデザインマップが開示されている。このインテリアデザインマップでは、互いに対局位置にある概念をパラメータとして定め、このようなパラメータを２組用いて二次元パラメータマップを構成し、このマップ上にパラメータに応じたインテリア画像が割り付けられる。たとえば、モダン調／トラディショナル調といった対局概念を示すパラメータ軸を横軸にとり、ダーク調／ライト調といった対局概念を示すパラメータ軸を縦軸にとったマップを作成して各位置にそれぞれのパラメータに応じた画像を配置すれば、インテリアデザインマップを構成することができる。このマップ上でユーザに好みの画像を選択させることにより、これらの概念に関するユーザの好みを認識することが可能になる。また、特開平１０−２１２９３号公報には、コンピュータのディスプレイ画面上にインテリア画像を表示させながら、ユーザのデザインに対する嗜好を認識するためのインテリアコーディネート支援システムが開示されている。
【０００４】
【発明が解決しようとする課題】
上述したインテリアデザインマップやインテリアコーディネート支援システムなどでは、「インテリアデザイン」という抽象概念を、モダン調／トラディショナル調、ダーク調／ライト調、和風調／欧米調、といった言葉によって表現可能な感覚上の概念に置き換えて分析する手法を採っている。しかしながら、ユーザのデザインに対する嗜好は、必ずしもこのような言葉によって表現可能な感覚上の概念のみで分析することはできない。特に、建材の材質の使い方に関する嗜好を把握する上では、従来の建築用デザインマップでは十分に対応することができない。最近では、ユーザの自然志向が益々高まる傾向にあり、たとえば、木の温もり感に対するニーズも顕在化しつつある。しかしながら、ユーザが木の温もり感を求めていたとしても、これを具体的な建材に反映させる方法は多種多様であり、ユーザの嗜好を更に深く分析しなければ、希望どおりの内装あるいは外装を提供することはできない。
【０００５】
そこで本発明は、建材の材質の使い方に関するユーザの嗜好を認識することが可能な建築用デザインの嗜好分析具として機能する建築用デザインマップを提供することを目的とする。
【０００６】
【課題を解決するための手段】
(1)   本発明の第１の態様は、建築物の内装もしくは外装のデザインに関するユーザの嗜好を分析するために利用される建築用デザインの嗜好分析具において、
着目対象となる特定の材質に関して、面材としての利用が多いか線材としての利用が多いかを示す第１のパラメータと、全体的に利用されているか部分的に利用されているかを示す第２のパラメータとを、それぞれ離散値として定め、
これら２つのパラメータの一方を横軸に他方を縦軸にそれぞれとることにより、媒体上に２つのパラメータ値を座標値として用いる二次元のパラメータマップを用意し、前記離散値に応じた座標位置に基づいてパラメータマップを複数の領域に分割し、各領域に、その座標値に応じた２つのパラメータ値に対応する材質利用形態をもった内装もしくは外装の画像を表示するようにしたものである。
【０００８】
(2)   本発明の第２の態様は、上述の第１の態様に係る建築用デザインの嗜好分析具において、
第１のパラメータ値および第２のパラメータ値としてそれぞれ４段階の値を定め、パラメータマップを縦横それぞれ４つずつに分割し、合計１６の領域を確保し、各領域にそれぞれパラメータに応じた画像を表示するようにしたものである。
【０００９】
(3)   本発明の第３の態様は、上述の第１または第２の態様に係る建築用デザインの嗜好分析具において、
着目対象となる材質として、木材、石材、金属材、布材のいずれか１つを用いるようにしたものである。
【００１３】
【発明の実施の形態】
以下、本発明を図示する実施形態に基づいて説明する。図１は、本発明の一実施形態に係る建築用デザインマップの基本構成を示す平面図である。このマップは、二次元のパラメータマップを構成している。すなわち、図示のとおり、このマップ上には、横軸と縦軸とが定義されており、各軸はそれぞれ所定のパラメータ値を示す座標軸として機能している。各パラメータは、着目対象となる特定の材質に関しての使用形態に関するパラメータである。具体的には、この例では、横軸に対応する第１のパラメータは、特定の材質に関して、面材としての利用が多いか線材としての利用が多いかを示すパラメータであり、図の例では、マップの左側へゆくほど面材としての利用が多く、マップの右側へゆくほど線材としての利用が多いことを示している。一方、縦軸に対応する第２のパラメータは、特定の材質に関して、全体的に利用されているか部分的に利用されているかを示すパラメータであり、図の例では、マップの上へゆくほど全体的に利用されている度合いが強く、マップの下へゆくほど部分的に利用されている度合いが強いことを示している。
【００１４】
図示の例の場合、マップ上の各位置には、画像ＰＩＣ１〜ＰＩＣ７が配置されているが、これらの各画像は、それぞれ建築の内装もしくは外装の画像である。しかも、各画像は、その配置に応じた材質利用形態をもった内装もしくは外装の画像となっている。たとえば、この建築用デザインマップが、木材を着目対象とする内装デザインマップであったとすると、左端に配置された画像ＰＩＣ１は、木質面材が多く利用されている内装を示す画像であり、右端に配置された画像ＰＩＣ３は、木質線材が多く利用されている内装を示す画像ということになる。すなわち、内装に利用されている木材に着目し、面材としての利用が多いか線材としての利用が多いかを比べた場合に、面材としての利用が多い内装画像はより左側に配置され、線材としての利用が多い内装画像はより右側に配置されることになる。
【００１５】
同様に、上端に配置された画像ＰＩＣ１，２，３は、木質建材が全体的に利用されている内装を示す画像であり、下端に配置された画像ＰＩＣ６，７は、木質建材が部分的に利用されている内装を示す画像ということになる。すなわち、内装全体を見回して木材の利用箇所に着目し、利用箇所が全体的に分布しているか部分的に集中しているかを比べた場合に、全体的に分布している内装画像はより上側に配置され、部分的に集中している内装画像はより下側に配置されることになる。
【００１６】
本発明に係る建築用デザインマップは、このように、まず着目対象となる特定の材質を決め（たとえば、木材）、この特定の材質に関して、面材としての利用が多いか線材としての利用が多いかを示す第１のパラメータと、全体的に利用されているか部分的に利用されているかを示す第２のパラメータとを定め、これら２つのパラメータの一方を横軸に他方を縦軸にそれぞれとることにより、２つのパラメータ値を座標値として用いる二次元のパラメータマップを用意し、このパラメータマップの所定位置にその座標値に応じた２つのパラメータ値に対応する材質利用形態をもった内装もしくは外装の画像を表示する点に特徴がある。
【００１７】
本願発明者は、このような２つのパラメータによる二次元マップを用いると、建築物の内装もしくは外装のデザインに関するユーザの嗜好を効果的に認識することができることを見出だした。これは、このような二次元パラメータマップにより、特定の材質の利用形態に関する総合的な把握が可能になるためと思われる。たとえば、木材に着目した内装の二次元パラメータマップの場合、木質感インテリアの方向性、構成手法、部位・要素などについての総合的な検討が可能になる。特に、２つのパラメータによる二次元マップを採用することにより、図２に示すような方向性概念が生じることになり、嗜好を直観的に把握する効果が生じるものと思われる。すなわち、横軸は着目材質が面的か線的かという方向性を示す概念軸となり、縦軸は着目材質が全体か部分かという方向性を示す概念軸となる。しかも、このような縦横の方向性を定義することにより、結果的に、着目材質の面積比率がマップの左上では大きくなり右下では小さくなるという新たな方向性が顕在化してくることになり、縦横の方向性に加え、図に破線で示した斜め方向の方向性（第３の方向成分）も加わることになる。
【００１８】
なお、図１に示す例では、二次元パラメータマップ上の任意の座標位置に７枚の画像ＰＩＣ１〜ＰＩＣ７を配置した例を示したが、実用上は、第１のパラメータおよび第２のパラメータとしてそれぞれ離散値を定めておき、この離散値に応じた座標位置に基づいてパラメータマップを複数の領域に分割し、各領域に画像を表示するのが好ましい。
【００１９】
以下、第１のパラメータ値および第２のパラメータ値としてそれぞれ４段階の値を定めた例を示すことにする。ここでは、第１のパラメータ（面的／線的）の値として、Ａ，Ｂ，Ｃ，Ｄなる４段階の離散値を定め、第２のパラメータ（全体／部分）の値として、１，２，３，４なる４段階の離散値を定めた例を示す。別言すれば、第１のパラメータ値は、「Ａ：非常に面的」、「Ｂ：やや面的」、「Ｃ：やや線的」、「Ｄ：非常に線的」なる４段階のうちのいずれかをとり、第２のパラメータ値は、「１：非常に全体的に分布」、「２：やや全体的に分布」、「３：やや部分的に集中」、「４：非常に部分的に集中」なる４段階のうちのいずれかをとることになる。
【００２０】
ある内装画像が与えられたときに、この内装画像に示されている内装についての第１のパラメータ値および第２のパラメータ値を決定する方法としては、人間の目で観察したときの主観に頼る方法が最も簡単な方法である。たとえば、インテリアデザイナなどの専門家に、多数の内装画像を見せ、個々の内装画像のそれぞれについて、着目対象となる特定の材質（たとえば、木材）の使用態様が「面的か線的か」という観点から４段階Ａ，Ｂ，Ｃ，Ｄで評価してもらい、更に「全体的か部分的か」という観点から４段階１，２，３，４で評価してもらえばよい。専門家ではなく、一般ユーザの意見に基づいてパラメータ値を決定したい場合には、年齢や職業が分散した多数の協力者に対するアンケート調査という形で上述した４段階評価に関する評価結果を収集し、これらの平均値などを用いるようにすればよい。もちろん、内装画像内に表現されている客観的な情報に基づいて、予め所定の評価アルゴリズムを決めておけば、人間による主観的な評価に基づいてパラメータを決定する代わりに、コンピュータを利用した客観的な評価に基づいてパラメータを決定することも可能である。
【００２１】
このように各パラメータ値を４段階に設定する場合、二次元パラメータマップを縦横それぞれ４つずつに分割し、合計１６の領域を確保し、各領域にそれぞれパラメータに応じた画像を表示するようにすればよい。図３は、このような領域分割を示す平面図である。左から右へ向かって順に、第１のパラメータ値Ａ，Ｂ，Ｃ，Ｄに対応する領域が配置され、上から下へ向かって順に、第２のパラメータ値１，２，３，４に対応する領域が配置されており、丸数字で示した合計１６の領域が形成されている。これら各領域には、それぞれパラメータ値に応じた材質利用形態をもった内装もしくは外装の画像が表示されることになる。たとえば、領域▲１▼であれば、着目材質が「Ａ：非常に面的」かつ「１：非常に全体的に分布」という形態で利用されている内装あるいは外装の画像が表示され、領域▲８▼であれば、着目材質が「Ｂ：やや面的」かつ「４：非常に部分的に集中」という形態で利用されている内装あるいは外装の画像が表示されることになる。
【００２２】
各パラメータ値の離散的な定義は、必ずしも４段階にする必要はないが、実用上は、４段階程度が最も好ましい。そもそも「面的／線的」あるいは「全体／部分」といった概念は漠然とした概念であるため、あまり細かな段階を定義しても、実質的な意味をもたなくなってしまう。また、４段階定義によって１６領域を形成した場合、図４にローマ数字Ｉ，II，III ，IVで示されているように、それぞれ４つの領域を有するゾーンＩ，II，III ，IVを定義することができるようになり、全体を大きく４つのゾーンとして把握し、更に、各ゾーン内を４つの領域に細分化するという階層構造が形成できる。着目材質を木材とし、内装に関する建築用デザインマップをこのような１６領域で構成した場合、ゾーンＩは天井・壁などに木材が面として全体的に利用されている内装群を示し、ゾーンIIは天井・壁などに木材が面として部分的に利用されている内装群を示し、ゾーンIII は柱・梁などに木材が線として全体的に利用されている内装群を示し、ゾーンIVは木材がインテリアの一部として利用されているか、あるいは、ほとんど利用されていないという内装群を示すことになる。その結果、左下側に「面のアクセント」、右上側に「線のインパクト」という概念が生じることにより、図に破線で示した斜め方向の方向性（第４の方向成分）も加わることになる。
【００２３】
結局、各パラメータ値を４段階に設定し、合計１６領域からなる建築用デザインマップを構成すれば、ゾーンＩ，II，III ，IVというデザイン群としての把握が可能になるとともに、縦横斜めの４つの方向性による二次元的な広がりとしてデザインの認識が可能になり、ユーザの嗜好を効果的に認識することが可能になる。
【００２４】
図５は、このような１６領域からなる建築用デザインマップの具体例を示す平面図である。この例は、着目材質として木材を用いた内装のデザインマップの例であり、図にハッチングを施した部分が木質面材を示し、図の太線部分が木質線材を示している。たとえば、左上（パラメータ値Ａ１）に配置された内装画像では、床・壁・天井のすべてに分布するように木質面材が利用されており、木質線材は全く利用されていない。これに対して、左下（パラメータＡ４）に配置された内装画像では、ほぼ床だけに木質面材が集中して利用されており、木質線材は全く利用されていない。一方、右上（パラメータ値Ｄ１）に配置された内装画像では、床・壁・天井のすべてに分布するように木質線材が利用されており、木質面材は全く利用されていない。これに対して、右下（パラメータＤ４）に配置された内装画像では、かろうじて窓枠にだけ木質線材が利用されているにすぎず、木材の利用そのものが少ない。
【００２５】
図６は、実用レベルの試作品として制作した建築用デザインマップの平面図である。電子出願における図面の制約上、細部については不鮮明であるが、基本的には図５に示すマップと同種のマップであり、その表現内容も全く同様である。このような建築用デザインマップをユーザに提示し、どの内装画像が最も好みであるかを答えてもらえば、そのユーザの内装における木質の利用形態に関する嗜好を把握することができる。あるいは、上述した４つの方向性についての好みを尋ねることにより、ユーザの嗜好を分析することも可能である。本発明に係る建築用デザインマップを、建築関係のチラシ・カタログ・雑誌・その他の印刷物に掲載すれば、建材や家具などの販売業務を行う際に大いに利用することができる。
【００２６】
また、本発明の建築用デザインマップは、建築の発注主となる個々のユーザごとの嗜好を分析するためだけではなく、広く一般ユーザにおけるデザインの流行を分析する上でも有用である。たとえば、不特定多数の者にこの建築用デザインマップを提示し、嗜好についてのアンケート調査（たとえば、図５あるいは図６に示された１６通りの内装画像のうち、好きなものを３つ、嫌いなものを３つ挙げてもらうような調査）に回答してもらうようにすれば、この回答結果に基づいて、一般ユーザの嗜好傾向を分析することができる。
【００２７】
もっとも、このようなアンケート調査を行う場合、年齢、性別、職業なども考慮した集計をするのが好ましく、実用上はコンピュータを利用するのが好ましい。本発明に係る建築用デザインマップは、もちろん、ＣＲＴ（陰極線管）やＬＣＤ（液晶表示装置）等のコンピュータ用のディスプレイ、あるいは映写スクリーンの画面上にも表示することが可能である。したがって、本発明に係る建築用デザインマップを画面上に表示させるためのプログラムあるいはデータを用意して、これを磁気ディスク記憶装置、光ディスク記憶装置、半導体記憶装置等の読み取り可能な記録媒体に記憶させ、更に、アンケート集計・嗜好分析用のプログラムを用意すれば、コンピュータを利用して上述したアンケート調査や嗜好分析などを行うことが可能になる。
【００２８】
以上、本発明を図示する実施形態に基づいて説明したが、本発明はこれらの実施形態に限定されるものではなく、この他にも種々の態様で実施可能である。たとえば、上述の実施形態では、着目対象となる材質として、木材を用いた例を示したが、本発明は木材に関するデザインマップに限定されるものではない。たとえば、石材、金属材、布材などの材質を着目対象としたデザインマップを作成することも可能である。また、上述の例では内装に関する画像しか示していないが、本発明は外装に関するデザインマップにも利用可能であり、更に、自動車、車両、船舶、航空機などの内装に関するデザインマップにも利用可能である。本発明における「建築用」なる文言は、このような自動車、車両、船舶、航空機などの内装をも含めた広義の意味である。更に、上述の例では、横軸に第１のパラメータ（面的／線的）、縦軸に第２のパラメータ（全体／部分）をとっているが、座標軸のとり方は任意であり、どの方向にどのパラメータを定義してもよく、また、面的／線的、あるいは全体／部分の方向を逆転させてもかまわない。
【００２９】
【発明の効果】
以上のとおり本発明に係る建築用デザインの嗜好分析具によれば、建材の材質の使い方に関するユーザの嗜好を認識することが可能になる。
【図面の簡単な説明】
【図１】本発明の一実施形態に係る建築用デザインマップの基本構成を示す平面図である。
【図２】本発明に係る建築用デザインマップにおいて生じる概念的な方向性を示す平面図である。
【図３】二次元マップ上を１６分割することにより本発明に係る建築用デザインマップを形成した例を示す平面図である。
【図４】図３に示す建築用デザインマップにおいて生じる概念的なデザイン群および方向性を示す平面図である。
【図５】木材に着目した場合の内装用デザインマップの一例を示す平面図である。
【図６】木材に着目した場合の内装用デザインマップのより実用的な一例を示す平面図である。
【符号の説明】
Ａ，Ｂ，Ｃ，Ｄ…第１のパラメータの段階
１，２，３，４…第２のパラメータの段階
Ｉ，II，III ，IV…ゾーン
ＰＩＣ１〜ＰＩＣ７…画像
【図１】
0004541495.tif 000002
【図２】
0004541495.tif 000003
【図３】
0004541495.tif 000004
【図４】
0004541495.tif 000005
【図５】
0004541495.tif 000006
【図６】
0004541495.tif 000007